(57)【要約】【課題】  操作部の操作性を向上させるとともに、保守点検等の作業性の向上を図る。【解決手段】  壷キー支持台３は、第１の支持ピン８を回動中心として壷キー支持台３が印刷可能位置とメンテナンス可能位置との間を回動する。レバー４１は第２の支持ピン４０を回動中心として回動可能に支持され、第２のピン５１を介して壷キー支持台３に連結されている。操作部５５は、レバー４１の貫通孔４１ｆに矢印Ｄ−Ｅ方向に摺動自在に支持されている。操作部５５の第１の係合溝５５ａをボールプランジャー５６に係合させることにより、操作部５５は印刷ユニット５７内に収納される。操作部５５の第２の係合溝５５ｂをボールプランジャー５６に係合させることにより、操作部５５はインキ壷２５から引き出され操作位置に位置付けられる。この操作位置から操作部５５を押し下げることにより壷キー支持台３がメンテナンス可能位置に位置付けられる。【選択図】  図１
2007237537.tif 000002
【特許請求の範囲】
【請求項１】
フレーム側に揺動自在に支持したインキ壷と、このインキ壷を印刷可能位置とメンテナンス可能位置との間で移動させるための操作部を備えた印刷機のインキ壷装置において、
フレーム側とインキ壷側に支持されたレバーと、
前記操作部を、この操作部を収納する収納位置と、この収納位置から引き出しインキ壷を移動可能とする操作位置との間を水平方向に移動可能となるように前記レバーに支持したことを特徴とする印刷機のインキ壷装置。
【請求項２】
前記インキ壷は、フレームに揺動自在に支持された壷本体と、この壷本体を回動させる前記レバーとによって構成し、
前記操作部に２つの係合溝を設け、
前記レバーに、前記操作部を水平方向に移動自在に支持する支持部と、前記係合溝に係合し前記操作部を前記収納位置と前記操作位置とに位置付ける保持手段とを設けたことを特徴とする請求項１記載の印刷機のインキ壷装置。
【請求項３】
前記操作部は前記操作位置において下方に回動されることを特徴とする請求項１記載の印刷機のインキ壷装置。
【請求項４】
前記壷本体に設けられ前記レバーを回動させることにより壷本体を揺動させる支軸と、前記フレームに設けられ前記レバーを揺動自在に支持する枢軸と、この枢軸に一端部が回動自在に支持され他端部が揺動部材を介して前記レバーに連結されたシャフト部材と、このシャフト部材に巻回され前記揺動部材を前記枢軸と反対方向に付勢するとともに前記シャフト部材を前記枢軸側に付勢するばねと、前記枢軸に当接することにより前記壷本体の揺動を規制しインキ壷を印刷可能位置に位置付けるストッパ部材と、このストッパ部材によって壷本体の揺動が規制されることにより前記揺動部材の回動中心を前記枢軸から前記支軸に切り替え、前記ばねの弾発力によって死点越えする前記レバーを保持することを特徴とする請求項２記載の印刷機のインキ壷装置。
【請求項５】
前記収納位置は印刷ユニットの中であることを特徴とする請求項１記載の印刷機のインキ壷装置。
【発明の詳細な説明】
【技術分野】
【０００１】
本発明は、インキ壷を開閉させるための操作部を備えた印刷機のインキ壷装置に関するものである。
【背景技術】
【０００２】
従来の印刷機のインキ壷装置は、左右の機台フレーム間に回動自在に支持されたブレード台と、このブレード台のＵ字溝に係合し固定ブラケットに螺合する操作部と、この操作部と反対方向から固定ブラケットに螺合され先端がブレード台の裏面に当接したボルトとを備え、操作部とボルトとによってブレード台を挟持するようにしてブレード台を固定している。この印刷機のインキ壷装置においては、インキ壷を清掃するときは、操作部の螺合を緩めブレード台を回動させることにより行うようにしている（例えば、特許文献１参照）。
【特許文献１】実公平２−３４０３５号公報（明細書２頁右欄８〜２２行、第１図および第２図）
【発明の開示】
【発明が解決しようとする課題】
【０００３】
上述した従来の印刷機のインキ壷装置は、インキ壷を開くために螺合を緩め、ブレード台のＵ字溝から外した操作部をインキ壷の上方へ回動させる構造としている。このため、インキ壷が印刷機の最下部に設けられた構造の場合、インキ壷の上方にインキローラ等が設けられているため、操作部を操作するための空間が狭くなり操作部の操作性が悪いという問題があった。また、保守点検のためにインキローラ等の部品を交換する場合に、交換部品を操作部に当てないようにする必要があるため作業性が悪いという問題もあった。一方、インキ壷が印刷機の最上部に設けられた構造の場合、操作部の操作空間を充分に確保することができない位、印刷機の最上部が工場の天井等に接近していると、操作部の操作性が悪くなってしまう。
【０００４】
本発明は上記した従来の問題に鑑みなされたものであり、その目的とするところは、操作部の操作性を向上させるとともに、保守点検等の作業性の向上を図った印刷機のインキ壷装置を提供するところにある。
【課題を解決するための手段】
【０００５】
この目的を達成するために、請求項１に係る発明は、フレーム側に揺動自在に支持したインキ壷と、このインキ壷を印刷可能位置とメンテナンス可能位置との間で移動させるための操作部を備えた印刷機のインキ壷装置において、フレーム側とインキ壷側に支持されたレバーと、記操作部を、この操作部を収納する収納位置と、この収納位置から引き出しインキ壷を移動可能とする操作位置との間を水平方向に移動可能となるように前記レバーに支持したものである。
【０００６】
請求項２に係る発明は、請求項１に係る発明において、前記インキ壷は、フレームに揺動自在に支持された壷本体と、この壷本体を回動させる前記レバーとによって構成し、前記操作部に２つの係合溝を設け、前記レバーに、前記操作部を水平方向に移動自在に支持する支持部と、前記係合溝に係合し前記操作部を前記収納位置と前記操作位置とに位置付ける保持手段とを設けたものである。
【０００７】
請求項３に係る発明は、請求項１に係る発明において、前記操作部は前記操作位置において下方に回動されるものである。
【０００８】
請求項４に係る発明は、請求項２に係る発明において、前記壷本体に設けられ前記レバーを回動させることにより壷本体を揺動させる支軸と、前記フレームに設けられ前記レバーを揺動自在に支持する枢軸と、この枢軸に一端部が回動自在に支持され他端部が揺動部材を介して前記レバーに連結されたシャフト部材と、このシャフト部材に巻回され前記揺動部材を前記枢軸と反対方向に付勢するとともに前記シャフト部材を前記枢軸側に付勢するばねと、前記枢軸に当接することにより前記壷本体の揺動を規制しインキ壷を印刷可能位置に位置付けるストッパ部材と、このストッパ部材によって壷本体の揺動が規制されることにより前記揺動部材の回動中心を前記枢軸から前記支軸に切り替え、前記ばねの弾発力によって死点越えする前記レバーを保持するものである。
【０００９】
請求項５に係る発明は、請求項１に係る発明において、前記収納位置は印刷ユニットの中である。
【発明の効果】
【００１０】
本発明によれば、操作部を収納位置から引き出した操作位置でインキ壷の印刷可能位置とメンテナンス可能位置との間を移動させることができるため操作性が向上する。特に、インキ壷が印刷機の最下部に設けられている場合、インキ壷の上方にインキローラ等が設けられていたとしても、操作部の操作性が悪くなるようなことがない。一方、インキ壷が印刷機の最上部に設けられている場合であって、操作部の操作空間を充分に確保することができない位、印刷機の最上部が工場の天井等に接近していたとしても、操作部の操作性が悪くなるようなことがない。また、通常操作部がインキ壷の上側に収納されていることにより、操作部がインキ壷から突出していないため、保守点検時にインキローラ等の部品を交換する場合に、交換部品を操作部に当てないようにする必要がないため作業性が向上する。
【発明を実施するための最良の形態】
【００１１】
以下、本発明の実施の形態を図に基づいて説明する。図１は本発明に係る印刷機のインキ壷装置の側面図、図２は同じく一部を示す平面図、図３は同じく側断面図、図４は同じく要部を示す断面図、図５は同じく壷キー開閉用ねじ棒の駆動部を示す断面図、図６は同じくインキ壷ローラに対して壷本体を接近・離間させる動作を説明するためのモデル図であって、同図（Ａ）はインキ壷ローラに対して壷本体が接近した印刷可能位置と、インキ壷ローラに対して壷本体を離間させたメンテナンス可能位置との間の移動動作を示し、同図（Ｂ）はインキ壷ローラに対して壷本体を接近させた状態を保持する動作を示し、図７は同じく要部を拡大して示す側面図である。
【００１２】
図１ないし図３に符号１で示すインキ壷ローラは、左右の機台フレーム２，２（一方の機台フレーム２は図示を省略）間に軸架されており、運転中は図１中反時計方向（矢印Ａ方向）に回転する。３はインキ壷ローラ１の後方に設けられた壷本体としての壷キー支持台であって、インキ壷ローラ１の胴長よりもやや長く形成されており、図２に示すように両端面からステー４，４（一方のステー４は図示を省略）が一体に突設されている。このステー４には非貫通孔状に形成された軸受孔５を有する筒体６が一体に設けられている。
【００１３】
７は後述するボルト５９の頭部６３に係合する係合片であって、筒体６の下側周面に一体に突設されている。８は機台フレーム２，２に植設された第１の支持ピンであって、この第１の支持ピン８は軸受孔５に係入されており、壷キー支持台３はこの第１の支持ピン８を回動中心として図１中時計・反時計方向（矢印Ｂ−Ｃ方向）に回動可能に構成されている。ここで、壷キー支持台３を機台フレーム２に揺動自在に支持するということは、ここでの実施の形態で示すように、壷キー支持台３を機台フレームに第１の支持ピン８を介して間接的に揺動自在に支持する状態も含むことを意味する。
【００１４】
図３において、１０は壷キー支持台３の前端側の上端部に設けた溝１１に、インキ壷ローラ１の軸線方向に延在するように取り付けられた保持バーであって、インキ壷ローラ１の胴長と略同じ長さに形成されている。この保持バー１０には、図４に示すように大径孔１２とこれと連通する小径孔１３とが前後方向に貫通するように形成されており、これら大径孔１２と小径孔１３とは、後述する複数のインキ壷キー１６に対応してインキ壷ローラ１の軸線方向に複数対設けられている。
【００１５】
１５は細長い略円柱状で保持バー１０と同じ長さに形成された支点ピンである。１６は角柱状に形成されたインキ壷キーであって、インキ壷ローラ１の周面に近接するようにインキ壷ローラ１の軸線方向に複数設けられており、これら複数のインキ壷キー１６の全体の幅方向の長さは、インキ壷ローラ１の胴長と同じ長さに形成されている。このインキ壷キー１６には、上記した保持バー１０の小径孔１３と同じ径に形成された貫通孔１７が設けられており、この貫通孔１７の一方の開口縁には、図４に示すように略半球状に形成された凹部１７ａが設けられている。
【００１６】
２０は保持バー１０の小径孔１３とインキ壷キー１６の貫通孔１７とに遊挿された壷キー開き用ピンであって、一端部に頭部２０ａが設けられ、他端部にインキ壷キー１６の凹部１７ａに係合する略半球状に形成された膨出部２０ｂが設けられている。２１は壷キー開き用ピン２０の頭部２０ａと、保持バー１０の大径部１２の底部１２ａとの間に圧縮状態で介装された皿ばねである。この皿ばね２１の弾発力によって、インキ壷キー１６は支点ピン１５を介して保持バー１０に揺動自在となるように弾持される。この状態で、壷キー開き用ピン２０は、皿ばね２１の弾発力によって、インキ壷キー１６をインキ壷ローラ１の周面から離間させる方向、すなわち支点ピン１５を回動中心としてインキ壷キー１６を図中時計方向に付勢している。
【００１７】
図３において、２２は壷キー支持台３の上面に固定され、インキ壷キー１６の上面と共にインキ壷の底面を形成する底板である。図１および図２において、２３はインキ壷キー１６の両端に設けられ（一方は図示を省略）、保持バー１０に取り付けられた固定壷キーである。２４は側面視で三角形に形成されたインキせきであって、壷キー支持台３の幅方向の両端部に互いに対向するように（一方のインキせき２４は図示を省略）立設されている。このインキせき２４，２４と底板２２、インキ壷キー１６、固定壷キー２３およびインキ壷ローラ１の周面とで囲まれて形成されたインキ壷２５内には図３に示すようにインキ２６が蓄えられている。
【００１８】
壷キー支持台３の下部には、図３に示すように背面側に開口を有する凹部２７が壷キー支持台３の両端部間に延在するように設けられている。この凹部２７と連通され壷キー支持台３の前端部を貫通する貫通孔２８が上記した複数のインキ壷キー１６と対応して複数設けられている。２９は凹部２７に収納され複数のインキ壷キー１６と対応して複数設けられたモータであって、凹部２７の開口縁に取り付けられた支持板３０に支持されている。
【００１９】
このモータ２９の出力軸には、図５に示すようにモータギア３１が軸着されており、このモータギア３１には伝達ギア３２が噛合している。３３は支持板３０に取り付けられたねじ棒支持ブロックであって、中央部にねじ孔３３ａが設けられている。３４はインキ壷キー１６に対応して設けられた複数の壷キー開閉用ねじ棒であって、中央部に設けたねじ部３４ａがねじ棒支持ブロック３３のねじ部３３ａに螺合している。この壷キー開閉用ねじ棒３４の支持板３０から突出した一端部には、伝達ギア３２に噛合するギア３５が軸着されている。また、この壷キー開閉用ねじ棒３４の他端部には押圧子３６が設けられており、この押圧子３６は、図３に示すように壷キー支持台３の貫通孔２８に嵌挿され、先端がインキ壷キー１６の下端部に当接している。
【００２０】
このような構成において、モータ２９を一方向に駆動することにより、モータ２９の出力軸の回転がモータギア３１から伝達ギア３２を介してギア３５に伝達され、ギア３５が図３において時計方向に回転する。このギア３５の時計方向の回転によって、ねじ棒支持ブロック３３のねじ孔３３ａにねじ部３４ａが螺合している壷キー開閉用ねじ棒３４が、図４中矢印Ｄ方向に移動するため、押圧子３６が貫通孔２８から前進する。この押圧子３６の前進によって、インキ壷キー１６が支点ピン１５を揺動支点として図４中実線で示すように皿ばね２１の弾発力に抗して反時計方向に揺動するため、インキ壷ローラ１の周面とインキ壷キー１６の角部１６ａとの間の隙間が狭くなり、インキ壷２５からのインキ出し量が少なくなるように調整される。
【００２１】
一方、モータ２９を一方向と反対方向の他方向に駆動することにより、モータ２９の出力軸の回転がモータギア３１から伝達ギア３２を介してギア３５に伝達され、ギア３５が図３において反時計方向に回転する。このギア３５の反時計方向の回転によって、ねじ棒支持ブロック３３のねじ孔３３ａにねじ部３４ａが螺合している壷キー開閉用ねじ棒３４が、図５中矢印Ｅ方向に移動するため、押圧子３６が貫通孔２８内に後退する。この押圧子３６の後退によって、インキ壷キー１６が支点ピン１５を揺動支点として図４中二点鎖線で示すように皿ばね２１の弾発力によって時計方向に揺動するため、インキ壷ローラ１の周面とインキ壷キー１６の角部１６ａとの間の隙間が拡がり、インキ壷２５からのインキ出し量が多くなるように調整される。
【００２２】
図１および図２において、４０，４０は左右の機台フレーム２，２に植設された枢軸としての第２の支持ピン（一方の第２の支持ピン４０は図示せず）であって、先端部に小径部４０ａが設けられている。４１は下方が開口した断面コ字状に形成されたレバーであって、両側部４１ａ，４１ａのそれぞれの一端部に設けた孔４１ｂ，４１ｂには、揺動部材としての第１のピン４３の両端部が嵌挿されている。この第１のピン４３の中央部には、図７に示すように半径方向を貫通する挿通孔４３ａが設けられており、この挿通孔４３ａの開口端縁には平坦部４３ｂ，４３ｃが形成されている。４４は第１のピン４３の挿通孔４３ａに挿通されたシャフト部材としてのボルトであって、挿通孔４３ａから突出した一端部にはダブルナット４５が螺合されている。
【００２３】
また、このボルト４４の他端部には偏平な直方体に形成された軸受部４４ａが一体に設けられており、この軸受部４４ａに形成された孔４４ｂには上記した第２の支持ピン４０の小径部４０が係入されている。したがって、レバー４１の第２のピン５１側は上記した第１の支持ピン８を回動中心としては図１中時計・反時計方向に回動し、レバー４１の第１のピン４３側は第２の支持ピン４０の小径部４０ａを回動中心として図１中時計・反時計方向に回動自在に支持されている。すなわち、レバー４１は第１の支持ピン８が植設された機台フレーム２側と第１の支持ピン８の周りを回動する壷キー支持台３側とに支持されている。ボルト４４の他端側にはダブルナット４６が螺合されており、このダブルナット４６と第１のピン４３の平坦部４３ｂとの間には、図７に示すように、座金４６ａ，４６ｂを介して複数枚からなる第２の付勢手段としての皿ばね４７が介装されている。
【００２４】
図１および図２において、４８はステー４に取り付けられた支持ブロックであって、この支持ブロック４８のねじ孔にはストッパとして機能するボルト４９が螺合されており、その先端は第２の支持ピン４０の周面に選択的に当接する。このボルト４９の先端が第２の支持ピン４０の周面に当接することにより、壷キー支持台３の揺動が規制されて壷キー支持台３がインキ壷ローラ１に接近し、印刷可能位置に位置付けられる。したがって、これらボルト４９と第２の支持ピン４０とが揺動規制手段５０を形成している。５１は支持ブロック４８の孔に嵌合固定された支軸としての第２のピンであって、この第２のピン５１の支持ブロック４８から突出した両端部は、レバー４１の両側部４１ａ，４１ａの孔４１ｃ，４１ｃに嵌挿されている。
【００２５】
上記したレバー４１の上部には、後述する操作部５５を矢印Ｆ−Ｇ方向に摺動自在に支持する貫通孔４１ｅと、この貫通孔４１ｅに連通されたねじ孔４１ｆとが設けられている。操作部５５は細長い棒状に形成されており、中央部の周面には環状の第１の係合溝５５ａが設けられ、一端部の周面には環状の第２の係合溝５５ｂが設けられ、他端部には把持部５５ｃが設けられている。５６は保持手段としてのボールプランジャーであって、先端のボール部が貫通孔４１ｅに臨むように、レバー４１のねじ孔４１ｆに螺合されている。
【００２６】
貫通孔４１ｅに支持された操作部５５は、ボールプランジャー５６のボール部に第１の係合溝５５ａを係合させることにより、図１中実線で示すように印刷ユニット５７の内側に収納された収納位置に位置付けられる。この収納位置から、把持部５５ｃを把持し、操作部５５を矢印Ｇ方向に移動させ、ボールプランジャー５６のボール部に第２の係合溝５５ｂを係合させることにより、図１中一点鎖線で示すようにインキ壷２５から引き出され、壷キー支持台３をインキ壷ローラ１に接近・離間可能とする操作位置に位置付けられる。
【００２７】
この操作位置において、操作部５５を図１中矢印Ｇ方向に操作し二点鎖線で示す位置まで押し下げることにより、レバー４１に支持された第１のピン４３（ボルト４４）は、図６（Ａ）において、後述するように最初第２のピン５１を回動中心としてα′だけ回動する。次いで第２の支持ピン４０の小径部４０ａを回動中心として角度αだけ反時計方向に回動すると同時に、支持ブロック４８を介して壷キー支持台３に支持された第２のピン５１が、第１の支持ピン８を回動中心として角度βだけ反時計方向（矢印Ｃ方向）に回動する。したがって、壷キー支持台３も図１中二点鎖線で示すように角度βだけ反時計方向（矢印Ｃ方向）に回動し、壷キー支持台３がインキ壷ローラ１から離間し、メンテナンス可能位置に位置付けられる。
【００２８】
一方、壷キー支持台３をインキ壷ローラ１から離間させたメンテナンス可能位置に位置付けられた状態から、壷キー支持台３をインキ壷ローラ１に接近させ印刷可能位置に位置付けるには、図１中二点鎖線で示した押し下げられた操作部５５を矢印Ｆ方向に押し上げ、一点鎖線で示す操作位置に位置付ける。この操作部５５の押し上げ動作によって、第１のピン４３が第２の支持ピン４０の小径部４０ａを回動中心として角度αだけ時計方向に回動する。同時に、支持ブロック４８を介して壷キー支持台３に支持された第２のピン５１が、第１の支持ピン８を回動中心として角度βだけ時計方向に回動し、壷キー支持台３も図１中実線で示すように角度βだけ時計方向に回動しインキ壷ローラ１に接近し、印刷可能位置に位置付けられ、ボルト４９の先端が第２の支持ピン４０の周面に当接する。ボルト４９の先端が第２の支持ピン４０の周面に当接すると、第１のピン４３は第２のピン５１を回動中心としてα′だけ時計方向に回動できるように構成されている。
【００２９】
図１において、５８は機台フレーム２に植設されたボルトの頭部に設けられたばね受けであって、図示を省略した挿通孔が設けられている。このばね受け５８の挿通孔には、ボルト５９が挿通され、このボルト５９の両端側にダブルナット６０，６１が螺合しており、一方のダブルナット６１とばね受け５８との間には、複数枚からなる皿ばね６２が圧縮状態で介装されている。ボルト５９の頭部６３は、上記した壷キー支持台３のステー４に突設された係合片７に選択的に当接する。
【００３０】
次に、このように構成された印刷機のインキ壷装置において、図１において二点鎖線で示す壷キー支持台３がインキ壷ローラ１から離間したメンテナンス可能位置に位置付けられている状態から実線で示す印刷可能位置に移動させる操作について説明する。先ず、図１において、二点鎖線で示す位置に位置している操作部５５を矢印Ｆ方向に押し上げることによって、壷キー支持台３を第１の支持ピン８を回動中心として時計方向に回動させる。インキ壷キー１６がインキ壷ローラ１の周面に接近すると、壷キー支持台３の係合片７がボルト５９の頭部６３に当接する。さらに、壷キー支持台３を時計方向にわずかに回動させることにより、皿ばね６２の弾発力によって壷キー支持台３が第１の支持ピン８を回動中心として反時計方向に付勢される。同時に、ボルト４９の先端が第２の支持ピン４０の周面に当接する。この状態で、壷キー支持台３がインキ壷ローラ１に接近する状態となるように、予め支持ブロック４８のねじ孔に螺合されているボルト４９の螺合量が調整されている。
【００３１】
したがって、操作部５５を矢印Ｆ方向に回動操作することにより、この回動操作に抗するように皿ばね６２の弾発力Ｆ１（図６（Ｂ）参照）によって、壷キー支持台３が第１の支持ピン８を回動中心として一定方向、すなわち反時計方向に付勢される。
【００３２】
この状態で、さらに操作部４２を矢印Ｇ方向にわずかに回動操作すると、第２の支持ピン４０の周面にボルト４９の先端が当接し、第２のピン５１の移動が規制されているため、第２の支持ピン４０の小径部４０ａを回動支点として回動していた第１のピン４３が第２のピン５１を回動中心として回動するように切り替わる。したがって、第１のピン４３が図６（Ａ）に示すように角度α′だけ回動するとき、第１のピン４３の回動軌跡が替わり、第２のピン５１と第２の支持ピン４０の小径部４０ａと第１のピン４３とが一直線状に位置付けられる。このとき、第１のピン４３と小径部４０ａとの間隔よりも、第１のピン４３と第２のピン５１との間隔の方が長く、かつ小径部４０ａが第１のピン４３と第２のピン５１との間に位置しているため、第１のピン４３の回動軌跡が替わることにより、この第１のピン４３の角度α′の回動時に、図７に示すように第１のピン４３が矢印Ｅ方向にわずかに移動する。この移動により、第１のピン４３の平坦部４３ｂが皿ばね４６ｂを矢印Ｅ方向に押圧するため、皿ばね４７がさらに圧縮された状態になる。したがって、第１のピン４３が角度αの範囲で回動しているときには、他方の平坦部４３ｃと座金４６ｃとの間に隙間が発生しないが、皿ばね４７がさらに圧縮されることにより、他方の平坦部４３ｃと座金４６ｃとの間に隙間δが形成される。
【００３３】
このとき、レバー４１の両側部４１ａ，４１ａの下面４１ｄ，４１ｄが第２の支持ピン４０の周面に当接し、これら下面４１ｄ，４１ｄがレバー４１の時計方向への回動を規制するストッパとして機能するから、皿ばね４７の弾発力によって、第２のピン５１と第２の支持ピン４０の小径部４０ａと第１のピン４３とが略一直線状に位置付けられる状態が保持される。すなわち、第１のピン４３は、図６（Ｂ）に示すように、第２のピン５１と第２の支持ピン４０の小径部４０ａと第１のピン４３とを結ぶ線Ｋを、いわゆる死点越えして二点鎖線で示す位置に位置付けられ、この状態は皿ばね４７の付勢力Ｆ２によって保持される。
【００３４】
この状態では、壷キー支持台３が皿ばね６２の弾発力によって一定方向に付勢されていることにより、第１の支持ピン８と軸受孔５とは常に同じＰ点において対接し、かつ壷キー支持台３の軸受孔５は第１の支持ピン８にクリアランスのない状態で支持されている。また、上述したように皿ばね４７が圧縮された状態となっていることにより、第１のピン４３が図１０中矢印Ｄ方向に付勢されるため、第１のピン４３が孔４１ｂにＱ点において対接し、第１のピン４３は孔４１ｂにクリアランスのない状態で支持されている。
【００３５】
さらに、皿ばね４７の弾発力によってボルト４４が矢印Ｅ方向に付勢されているため、ボルト４４の孔４４ｂが第２の支持ピン４０の小径部４０ａとＲ点において対接しており、小径部４０ａは孔４４ｂにクリアランスのない状態で支持されている。また、第１のピン４３が皿ばね４７の弾発力によって矢印Ｄ方向に付勢されているため、レバー４１も矢印Ｄ方向に付勢されている。したがって、第２のピン５１とレバー４１の孔４１ｃとはＳ点において対接しており、第２のピン５１は孔４１ｃにクリアランスのない状態で支持されている。
【００３６】
このため、ボルト４９の先端を第２の支持ピン４０の周面に当接させてインキ壷２５を形成するとき、常に第２のピン５１が同じ位置に位置付けられるとともに、上述したように、キー支持台３の軸受孔５が常に同じ対接点Ｐにおいて第１の支持ピン８にクリアランスのない状態で支持されている。したがって、これら第２の支持ピン４０と第１の支持ピン８とによって支持されているキー支持台３は、インキ壷２５を形成したとき、常に同じ位置に位置付けられることになる。すなわち、壷キー支持台３をインキ壷ローラ１に対して接近・離間させるたびにインキ壷ローラ１の周面とインキ壷キー１６との間の隙間が変動するようなことがないから、インキ出し量の精度が安定する。また、壷キー支持台３のインキ壷ローラ１に対する接近・離間操作とインキ壷２５を形成した状態の保持操作とを操作部４２の一連の回動操作のみによって行うことができるため使い勝手が向上する。
【００３７】
また、操作部５５の第２の係合溝５５ｂがボールプランジャー５６のボール部に係合し、操作部５５が図１中一点鎖線で示す操作位置に位置付けられる。次いで、操作部５５を矢印Ｄ方向に水平に移動させ、操作部５５の第１の係合溝５５ａがボールプランジャー５６のボール部に係合することにより、操作部５５が図１中実線で示す収納位置に位置付けられる。また、操作部５５をインキ壷２５から引き出した操作位置においてインキ壷２５の開閉を行うことができるため操作性が向上する。特に、インキ壷２５が印刷機の最下部に設けられている場合、インキ壷２５の上方にインキローラ等が設けられていたとしても、操作部５５の操作性が悪くなるというようなことがない。一方、インキ壷２５が印刷機の最上部に設けられている場合であって、操作部５５の操作空間を充分に確保することができない位、印刷機の最上部が工場の天井等に接近していたとしても、操作部５５の操作性が悪くなるようなことがない。また、通常操作部５５が印刷ユニット５７内に収納され、操作部５５がインキ壷２５から突出していないため、保守点検時にインキローラ等の部品を交換する場合に、交換部品を操作部５５に当てないようにする必要がないため作業性が向上する。
【図面の簡単な説明】
【００３８】
【図１】本発明に係る印刷機のインキ壷装置の側面図である。
【図２】本発明に係る印刷機のインキ壷装置の一部を示す平面図である。
【図３】本発明に係る印刷機のインキ壷装置の側断面図である。
【図４】本発明に係る印刷機のインキ壷装置の要部を示す断面図である。
【図５】本発明に係る印刷機のインキ壷装置において、壷キー開閉用ねじ棒の駆動部を示す断面図である。
【図６】本発明に係る印刷機のインキ壷装置において、インキ壷ローラに対して壷本体を接近・離間させる動作を説明するためのモデル図であって、同図（Ａ）はインキ壷ローラに対して壷本体が接近した印刷可能位置と、インキ壷ローラに対して壷本体を離間させたメンテナンス可能位置との間の移動動作を示し、同図（Ｂ）はインキ壷ローラに対して壷本体を接近させた状態を保持する動作を示す。
【図７】本発明に係る印刷機のインキ壷装置において要部を拡大して示す側面図である。
【符号の説明】
【００３９】
１…インキ壷ローラ、３…壷キー支持台、１６…インキ壷キー、２５…インキ壷、２６…インキ、４０…第２の支持ピン、４１…レバー、４１ｅ…貫通孔、４１ｆ…ねじ孔、５５…操作部、５５ａ…第１の係合溝、５５ｂ…第２の係合溝、５５ｃ…把持部、５６…ボールプランジャー（保持手段）、５７…印刷ユニット。
【図１】
2007237537.tif 000003
【図２】
2007237537.tif 000004
【図３】
2007237537.tif 000005
【図４】
2007237537.tif 000006
【図５】
2007237537.tif 000007
【図６】
2007237537.tif 000008
【図７】
2007237537.tif 000009